(57)【要約】      （修正有）【課題】外部あるいは家内の複数の場所からデータの確認ができ、また、外部や家内の複数の場所からシステムを操作できる監視システムを提供する。【解決手段】監視カメラユニットと監視カメラユニットで得られたデータを記録するデータ記録装置からなり、前記カメラユニットには生体感知用の赤外線センサーを有し、その赤外線センサーによる生体感知に反応して稼動することと、前記したデータ記録装置を無線ＬＡＮシステムと接続し、ネットワークを介してそのネットワーク上のパーソナルコンピュータや他の複数のデータ記録装置から記録データの閲覧及び遠隔操作及び通話を可能とし、また、外部から通信機器により、記録されているデータの閲覧及び遠隔操作及び通話を可能とする。【選択図】図６
2009105526.tif 000002
【特許請求の範囲】
【請求項１】
建築物、建造物の開口部に設置される監視カメラユニットとその監視カメラユニットで得られたデータを記録するデータ記録装置からなる監視システムであって、前記カメラユニットには撮像用カメラと並設して生体感知用の赤外線センサーを少なくとも有し、その赤外線センサーによる生体感知に反応して稼動することを特徴とする監視システム。
【請求項２】
前記した監視カメラユニットにはマイクも併せて備えるとともに、前記したデータ記録装置はデータ表示用のＬＣＤとスピーカを備えていることを特徴とする請求項１に記載の監視システム。
【請求項３】
前記した監視システムの稼動は、前記した赤外線センサーが、設定した一定時間を継続して反応した場合のみになされることを特徴とする請求項１または請求項２に記載の監視システム。
【請求項４】
前記した監視カメラユニットとデータ記録装置は開口部の閉塞体の表裏にその閉塞体を挟持する形態で固着されるとともに、その閉塞体を貫通するネジの軸芯方向に貫通孔を形成し、監視カメラユニットに設けられたＦＰＣケーブルをそのネジの貫通孔に通し、データ記録装置と電気的に接続してあることを特徴とする請求項１、請求項２または請求項３に記載の監視システム。
【請求項５】
前記した監視カメラユニットによる録画データと一定の短時間サイクルで定期的に繰り返してデータ記録装置に保存することを特徴とする請求項１、請求項２、請求項３または請求項４に記載の監視システム。
【請求項６】
前記したデータ記録装置を無線ＬＡＮシステムと接続し、ネットワークを介してそのネットワーク上のパーソナルコンピュータや他の複数のデータ記録装置から記録データの閲覧及び遠隔操作及び通話を可能とし、インターネットと接続して、記録されたデータを指定したメールアドレスに送信を可能とし、また、外部から通信機器により、記録されているデータの閲覧及び遠隔操作及び通話を可能としたことを特徴とする請求項１、請求項２、請求項３、請求項４または請求項５に記載の監視システム。
【請求項７】
前記したデータ記録装置に無線回路を付加し、電話回線と接続されている無線ユニットと無線信号で通信を行なうことで、携帯電話機等の移動体通信機や固定電話機から遠隔操作を可能としたことを特徴とする請求項１、請求項２、請求項３、請求項４または請求項５に記載の監視システム。
【請求項８】
前記した無線ユニットと移動体通信機や固定電話機との通信はＤＴＭＦ音により行なうことを特徴とする請求項７に記載の監視システム。
【請求項９】
前記した無線ユニットを用いることで、前記した赤外線センサーが反応した時、指定してある電話番号に通報することを特徴とする請求項７または請求項８に記載の監視システム。
【請求項１０】
前記したデータ記録装置は前記したＬＣＤで動画映像、静止画像を表示し、スピーカで音声信号を再現することを可能としたことを特徴とする請求項２に記載の監視システム。
【請求項１１】
前記した監視カメラユニットに無線ユニットを接続して、複数のカメラ映像を切り換え、閲覧及び記録することを可能としたことを特徴とする請求項１、請求項２、請求項６または請求項７に記載の監視システム。
【請求項１２】
前記した監視カメラユニットのカメラレンズは赤外線フィルタを除去して光量を増やし、撮影の映像の明度をあげてあることを特徴とする請求項１、請求項２、請求項３または請求項１１に記載の監視システム。
【請求項１３】
前記したデータ記録装置には外部カメラの映像信号、外部マイクの音声信号を受け入れ、出力するポートを備え、その映像及び音声信号の表示、出力、記録することを可能としたことを特徴とする請求項１に記載の監視システム。
【発明の詳細な説明】
【技術分野】
【０００１】
本発明は建築物、建造物の開口部、主として玄関の近傍に監視用のカメラを据え、そのカメラで得られた動画、静止画の画像データをデータ記録装置に記録することにより、セキュリティの一環として、不審者の動向や訪問者の様子をチェックするための監視システムに関する。
【背景技術】
【０００２】
従前より、例えば玄関口等の建物の開口部周辺に監視用カメラを設置し、その監視用カメラによって、特に住人が不在となる時における訪問者等の映像を録画しておくシステムの保存は知られている。しかし、この従前の監視カメラはスタートさせると連続して撮影データを記録するため、メモリーや電力等のエネルギーを無駄に消費してしまうものとなっている。
【０００３】
このメモリーや電力の消費を抑えるため、センサーの反応をトリガーとして記録を開始する構成のものもあるが、この場合でも住人をはじめとする関係者の出入や、通りかかった通行人も撮影することとなり、やはり、メモリーや電力の無駄な消費は避けられない。
【０００４】
また、この監視用カメラのシステムは施工に専門性が要求され、その施工は困難で専門業者が必要となり、この分コスト高となってしまう。加えて、この監視用カメラは通常では暗所での撮影が困難なため、それを解消するため暗視カメラや赤外線ライト等を使用することが知られてはいるが、これも製品として高価なもので、施工に専門性を要するためやはりコスト高となってしまう。
【０００５】
さらに、従前主流となっているデジタル方式による記録装置は長時間に亘って記録を撮り続けるものが殆どで、停電等の事故によって電力の供給がなくなった場合、あるいは装置が破壊され瞬時に記録ができない状態になると、既に撮影済のデータも消滅してしまい、記録として残せないことが多かった。
【０００６】
また、従前は、記録されたデータは帰宅後でなければ閲覧チェックをすることができず、外出先等からの閲覧ができないため、重要な来客への連絡や、不審者に関して警察や警備会社等への通報もでき得ないことが多かった。
【０００７】
さらに、従前は、記録されたデータとしての映像を確認するために、データ記録装置を操作することが殆どで、家内の複数の場所にあって、訪問者等を確認することができない場合が多かった。
【０００８】
そして、従前の監視システムでは専用のカメラをはじめとする専用部品、部材が使用されていることが多く、ユーザーのニーズにあったシステムを提供できないことも多く、データの記録装置とカメラを離れた場所に設置する際、特別な配線をする必要があり、専門業者の施工が必要となり、コスト高となってしまうこととなる。
【特許文献１】本願発明に関し、出願人は先行する技術文献を調査したが、本願発明と格別に関連し、類似すると思われる文献は発見することができなかった。
【発明の開示】
【発明が解決しようとする課題】
【０００９】
本願発明が解決しようとする問題点は従来の監視カメラを用いた監視システムはメモリーや電力の無駄なロスが大きく、ユーザーサイドで簡単に施工設置することは困難であり、不測の事態で既に撮影済のデータが消滅してしまう虞があり、外部あるいは家内の複数の場所からデータの確認ができず、また、外部や家内の複数の場所からシステムを操作することができなかったという点である。
【課題を解決するための手段】
【００１０】
上記した問題点を解決するために、本発明に係る監視システムは建築物、建造物の開口部に設置される監視カメラユニットとその監視カメラユニットで得られたデータを記録するデータ記録装置からなる監視システムであって、前記カメラユニットには撮像用カメラと並設して生体感知用の赤外線センサーを少なくとも有し、その赤外線センサーによる生体感知に反応して稼動することを特徴とし、前記した監視カメラユニットにはマイクも併せて備えるとともに、前記したデータ記録装置はデータ表示用のＬＣＤとスピーカを備えていることを特徴とし、前記した監視システムの稼動は、前記した赤外線センサーが、設定した一定時間を継続して反応した場合のみになされることを特徴とし、前記した監視カメラユニットとデータ記録装置は開口部の閉塞体の表裏にその閉塞体を挟持する形態で固着されるとともに、その閉塞体を貫通するネジの軸芯方向に貫通孔を形成し、監視カメラユニットに設けられたＦＰＣケーブルをそのネジの貫通孔に通し、データ記録装置と電気的に接続してあることを特徴としている。
【００１１】
また、本発明に係る監視システムは前記した監視カメラユニットによる録画データと一定の短時間サイクルで定期的に繰り返してデータ記録装置に保存することを特徴とし、前記したデータ記録装置を無線ＬＡＮシステムと接続し、ネットワークを介してそのネットワーク上のパーソナルコンピュータや他の複数のデータ記録装置から記録データの閲覧及び遠隔操作及び通話を可能とし、インターネットと接続して、記録されたデータを指定したメールアドレスに送信を可能とし、また、外部から通信機器により、記録されているデータの閲覧及び遠隔操作及び通話を可能としたことを特徴とし、前記したデータ記録装置に無線回路を付加し、電話回線と接続されている無線ユニットと無線信号で通信を行なうことで、携帯電話機等の移動体通信機や固定電話機から遠隔操作を可能としたことを特徴とし、前記した無線ユニットと移動体通信機や固定電話機との通信はＤＴＭＦ音により行なうことを特徴としている。
【００１２】
さらに、本発明に係る監視システムは前記した無線ユニットを用いることで、前記した赤外線センサーが反応した時、指定してある電話番号に通報することを特徴とし、前記したデータ記録装置は前記したＬＣＤで動画映像、静止画像を表示し、スピーカで音声信号を再現することを可能としたことを特徴とし、前記した監視カメラユニットに無線ユニットを接続して、複数のカメラ映像を切り換え、閲覧及び記録することを可能としたことを特徴とし、前記した監視カメラユニットのカメラレンズは赤外線フィルタを除去して光量を増やし、撮影の映像の明度をあげてあることを特徴とし、前記したデータ記録装置には外部カメラの映像信号、外部マイクの音声信号を受け入れ、出力するポートを備え、その映像及び音声信号の表示、出力、記録することを可能としたことを特徴としている。
【発明の効果】
【００１３】
本発明に係る監視システムは上記のように構成されている。そのため、本発明に係る監視システムは気軽なＤＩＹ感覚で、ユーザーサイドで設置することができ、無駄にメモリーや電力を消費してしまうこともなくなり、不在時の訪問者を容易に確認でき、不審者もチェックできるので即時に警察や警備会社への通報を行なうことも可能となるとともに、事前の抑制効果も発揮することとなる。
【発明を実施するための最良の形態】
【００１４】
図面として示し、実施例で説明したように構成することで実現した。
【実施例１】
【００１５】
次に、本発明の好ましい実施の例を図面を参照して説明する。図１は本発明に係る装置の外観形状を示す図、図２は本発明に係る記録装置が実施した赤外線センサー反応からデータ記録までを示すタイムチャート図、図３は同じく玄関口への施工図及びＦＰＣケーブル部分の寸法図、図４は同じく赤外線カットフィルターを外した時の効果を示す図、図５は同じく本発明を実施した時のデータストリームを示す図、図６は無線ＬＡＮにて構築されたシステム図、図７は電話回線を利用したシステム図、図８は外部のカメラ及び外部マイクの映像信号及び音声信号を入力するポート搭載時の外観形状を示す図、図９は外部カメラに無線ユニットを接続し構築されたシステム図である。
【００１６】
これらの図にあって１は本発明の実施に使用される監視用のカメラユニットを示している。このカメラユニット１は表出される表面に生体、特に人体の存在を感知するための赤外線センサー２を備えており、その赤外線センサー２と並設されてＣＭＯＳもしくはＣＣＤカメラからなるカメラ３及び集音するためのマイク４が備えられ、裏面にはフレキシブルなＦＰＣケーブル５が接続されている。
【００１７】
また、図中６はデータ記録装置を示し、データを記録するメモリーを搭載した基板等を内蔵したケーシングを有しており、このケーシングの表面にはデータを表示するためのＬＣＤ表示部７、音声を再現するためのスピーカ８及び操作するための操作ボタンスイッチ群９が備えられている。
【００１８】
このカメラユニット１とデータ記録装置６は、例えば図３として示すように設置される。１０は玄関の扉を示している。この扉１０の外面側にカメラユニット１が両面テープを用いて固定される。一方、扉１０の内面側には取付板１１が両面テープを用いて固定され、この取付板１１にデータ記録装置６が固着されている。
【００１９】
取付板１１の上方には扉１０に設けられたネジ孔と連通するネジ孔が形成されており、そのネジ孔に扉１０を貫通させてネジ１２が螺着される。このネジ１２にはその軸芯方向に沿った中心部に貫通孔１２ａが設けられているもので、この貫通孔１２ａを通してカメラユニット１のＦＰＣケーブル５が導通され、データ記録装置６とカメラユニット１とを電気的に接続するものとなっている。これによって、通常は１２ｍｍの径の孔を必要とするものが、１０ｍｍ程度の穴径で済み、無駄な孔の穿設作業を避けることができ、両面テープが使用されるため、扉１０の貫通孔の径がネジ１２より大きくても強度が損なわれることはない。
【００２０】
カメラユニット１は赤外線センサー２によって生体、特に人体を検知すると、それをトリガーとしてカメラ３による撮像が開始される。この赤外線センサー２による検知がない時はＣＰＵの電源はＯＦＦとされている。撮像された画像はデータ記録装置によって動画用データ、静止画用データに変換され、メモリーに記録される。このメモリーされたデータはパーソナルコンピュータや外部のモニターで閲覧できるようにＵＳＢもしくは外部メモリーを伝送路として使用することができる。また、画像には既知のデータの圧縮方式を用いることができる。
【００２１】
また、図２によって本実施例の作用の一つを説明すると、赤外線センサー２による反応が全く無い場合は、記録装置６を制御しているＣＰＵの電源をＯＦＦとする。赤外線センサー２が反応するとマイコン等の制御回路でこれを検知し、その検出によってＣＰＵの電源をＯＮとする信号を発する。ここで、赤外線センサー２の反応について、連続反応時間を５秒と設定すると、ＣＰＵをＯＮした後に、この５秒の反応時間の間、連続的に赤外線センサー２の反応の確認をし、５秒以内で反応が無くなった場合、記録動作は行なわない。これによって無駄となる撮像やその記録を省いて、メモリー容量や消費電力を節約することができる。
【００２２】
さらに、図４によって赤外線カットフィルター１３を排除してしまうことの効果を説明すると、従前のようにイメージ素子１４の前に赤外線カットフィルター１３を配備すると、この赤外線カットフィルター１３によって光のなかの赤外光（高波長光）は弾き返されて通過できずイメージ素子１４に到達する光量はその分少なくなってしまう。赤外線カットフィルター１３をなくせば、イメージ素子１４に多くの光量を取り入れることが可能となり、記録装置６によりゲインコントロールを行なうことで、光量の少ない場所や時間帯であっても鮮明な映像を確保することができる。
【００２３】
また、図５によって本実施例の作用の一つを説明すると、赤外線センサー２の反応もしくは録画スイッチの入力に対して、録画時間を５秒と設定すると、連続して５秒間の撮像を行ない、その後瞬時にその記録を行なう。これは設定によって静止画と動画を瞬時に繰り返して記録することもできる。この録画と記録の作業を繰り返し行なうことで、万が一電源供給がなくなったり、カメラユニット１が破壊される等の不測の事態が生じた場合でも、この事態発生前の記録は残存させることができる。
【００２４】
さらに、図６において、本実施例の作用の一つを説明すると、データ記録装置６に無線ＬＡＮユニットを設け、パーソナルコンピュータ１６、１６‥や複数の他の記録装置６ａ、６ａ‥及びルーター（モデム）１５と建物内でデータ通信を可能とし、建物外から携帯電話機等の移動体通信機やパーソナルコンピュータ等の通信機器を利用して記録の閲覧等の操作や、メール機能を用いて外部に記録データを送信することができる。
【００２５】
また、ルーター１５を外部のＷＡＮを構成する専用サーバ１７とつないで、変動するＩＰアドレスを確認することができ、グローバルＩＰ等の固定アドレスを形成しなくとも外部からの通信を容易に可能とすることができる。このことによって、外出時に外部で記録データの閲覧や操作、家内にあっての遠隔操作を可能とすることができる。
【００２６】
さらに、図７によって本実施例の他の作用の一つを説明すると、データ記録装置６に無線ユニット１８を無線で接続する。そして、この無線ユニット１８は家内の電話回線１９と接続する。外部から携帯電話機等の移動体通信機・固定電話機２０等によって、電話局２１を介し自宅の電話機に通信し、電話回線１９を通じてＤＴＭＦ音によって無線ユニット１８に対して指示を出し、操作を行なうことを可能としている。この作用によって外出先から遠隔操作を行なうことや、マイク４、スピーカ８を用いて訪問者との通話をすることも可能となる。
【００２７】
そして、前記したデータ記録装置６には外部カメラ及び外部マイクの映像信号及び音声信号の入力ポート２２、及び出力ポート２３が設けられており、入力されたデータ内容を記録し、それを出力することを可能としている。２４は電源入力ポートである。
【００２８】
そして、図９によって本実施例の他の作用の一つを説明すると、外部カメラ２５、２５‥に無線ユニット１８、１８‥を接続して、この無線ユニット１８、１８‥をデータ記録装置６と無線接続する。このことで、複数の外部カメラ２５、２５‥をデータ記録装置６で切り替え、各々の映像を記録することも可能としている。
【産業上の利用可能性】
【００２９】
本発明に係る監視システムは上述のように構成されている。この実施例では建築物、建造物の開口部、特に玄関に施工するものとしているが、これにこだわるものではなく、窓口やベランダをはじめ、また、街中、公園、道路等の戸外における監視用カメラを用いたシステムとして応用実施できることは勿論可能なものとなっている。
【図面の簡単な説明】
【００３０】
【図１】本発明に係る装置の外観形状を示す図である。
【図２】本発明に係る記録装置が実施した赤外線センサー反応からデータ記録までを示すタイムチャート図である。
【図３】玄関口への施工図及びＦＰＣケーブル部分の寸法図である。
【図４】赤外線カットフィルターを外した時の効果を示す図である。
【図５】本発明を実施した時のデータストリームを示す図である。
【図６】無線ＬＡＮにて構築されたシステム図である。
【図７】電話回線を利用したシステム図である。
【図８】外部のカメラ及び外部マイクの映像信号及び音声信号を入力するポート搭載時の外観形状を示す図である。
【図９】外部カメラに無線ユニットを接続し構築されたシステム図である。
【符号の説明】
【００３１】
１    カメラユニット
２    赤外線センサー
３    カメラ
４    マイク
５    ＦＰＣケーブル
６    データ記録装置
６ａ  記録装置
７    ＬＣＤ表示部
８    スピーカ
９    スイッチ群
１０  扉
１１  取付板
１２  ネジ
１２ａ  貫通孔
１３  赤外線カットフィルター
１４  イメージ素子
１５  ルーター
１６  パーソナルコンピュータ
１７  専用サーバー
１８  無線ユニット
１９  電話回線
２０  携帯電話機等の移動体通信機・固定電話機
２１  電話局
２２  映像信号、音声信号入力ポート
２３  映像信号、音声信号出力ポート
２４  電源入力ポート
２５  外部カメラ
【図１】
2009105526.tif 000003
【図２】
2009105526.tif 000004
【図３】
2009105526.tif 000005
【図４】
2009105526.tif 000006
【図５】
2009105526.tif 000007
【図６】
2009105526.tif 000008
【図７】
2009105526.tif 000009
【図８】
2009105526.tif 000010
【図９】
2009105526.tif 000011